【手続補正書】
【提出日】平成16年6月10日(2004.6.10)
【手続補正１】
【補正対象書類名】明細書
【補正対象項目名】発明の名称
【補正方法】変更
【補正の内容】
【発明の名称】画像情報のエンコード方法と再生方法と再生装置
【手続補正２】
【補正対象書類名】明細書
【補正対象項目名】特許請求の範囲
【補正方法】変更
【補正の内容】
【特許請求の範囲】
【請求項１】
主映像情報とともに同時再生可能な副映像情報が副映像データーユニットを構成し、
前記副映像データーユニットは一定のデーターサイズのパケットに分割され、前記副映像パケットはパケットヘッダを含み、
前記パケットヘッダは表示時刻を表現したタイムスタンプを含み
更に前記副映像データーユニットは
表示制御シーケンスを含む表示制御シーケンステーブルと
ランレングス圧縮された副映像の画素データーと
副映像ユニットヘッダとを含み、
前記副映像ユニットヘッダは前記表示制御シーケンステーブルの開始アドレス情報を含み、
前記ランレングス圧縮は前記副映像の同一画素データーの連続をデーター単位に変換して行われ、
前記表示制御シーケンスは
１以上の副映像表示制御コマンドと
次の表示制御シーケンスのアドレス情報と
副映像の表示制御に関する開始時間を示す情報を含み、
前記副映像の表示制御に関する開始時間を示す情報は前記タイムスタンプの相対時間で記録されている前記副映像の表示制御に関する開始時間を示す情報は前記タイムスタンプの相対時間で記録されているように構成し、
前記副映像の画素データーをエンコード処理する事を特徴とする副映像のエンコード方法。
【請求項２】
主映像情報とともに同時再生可能な副映像情報が副映像データーユニットを構成し、
前記副映像データーユニットは一定のデーターサイズのパケットに分割され、前記副映像パケットはパケットヘッダを含み、
前記パケットヘッダは表示時刻を表現したタイムスタンプを含み
更に前記副映像データーユニットは
表示制御シーケンスを含む表示制御シーケンステーブルと
ランレングス圧縮された副映像の画素データーと
副映像ユニットヘッダとを含み、
前記副映像ユニットヘッダは前記表示制御シーケンステーブルの開始アドレス情報を含み、
前記ランレングス圧縮は前記副映像の同一画素データーの連続をデーター単位に変換して行われ、
前記表示制御シーケンスは
１以上の副映像表示制御コマンドと
次の表示制御シーケンスのアドレス情報と
副映像の表示制御に関する開始時間を示す情報を含み、
前記副映像の表示制御に関する開始時間を示す情報は前記タイムスタンプの相対時間で記録されているように構成するように記録された情報保持媒体から前記副映像情報を再生することを特徴とする再生方法。
【請求項３】
主映像情報とともに同時再生可能な副映像情報が副映像データーユニットを構成し、
前記副映像データーユニットは一定のデーターサイズのパケットに分割され、前記副映像パケットはパケットヘッダを含み、
前記パケットヘッダは表示時刻を表現したタイムスタンプを含み
更に前記副映像データーユニットは
表示制御シーケンスを含む表示制御シーケンステーブルと
ランレングス圧縮された副映像の画素データーと
副映像ユニットヘッダとを含み、
前記副映像ユニットヘッダは前記表示制御シーケンステーブルの開始アドレス情報を含み、
前記ランレングス圧縮は前記副映像の同一画素データーの連続をデーター単位に変換して行われ、
前記表示制御シーケンスは
１以上の副映像表示制御コマンドと
次の表示制御シーケンスのアドレス情報と
副映像の表示制御に関する開始時間を示す情報を含み、
前記副映像の表示制御に関する開始時間を示す情報は前記タイムスタンプの相対時間で記録されているように構成された前記副映像情報に対するデコーダーを具備する事を特徴とする再生装置。
【手続補正３】
【補正対象書類名】明細書
【補正対象項目名】０００１
【補正方法】変更
【補正の内容】
【０００１】
【発明の属する技術分野】
この発明は、主映像とともに同時再生される副映像などの画像情報をエンコードする画像情報のエンコード方法と、デコードして画像情報を再生する再生方法と再生装置に関する。
【手続補正４】
【補正対象書類名】明細書
【補正対象項目名】０００８
【補正方法】変更
【補正の内容】
【０００８】
【発明が解決しようとする課題】
この発明は、同じ副映像データを複数の異なる時刻で表示する場合でも全く同じ表示制御シーケンステーブルを用いることができ、表示制御シーケンステーブルをリロケータブルとすることができることを目的とする。
【手続補正５】
【補正対象書類名】明細書
【補正対象項目名】０００９
【補正方法】変更
【補正の内容】
【０００９】
【課題を解決するための手段】
この発明は、主映像情報とともに同時再生可能な副映像情報が副映像データーユニットを構成し、前記副映像データーユニットは一定のデーターサイズのパケットに分割され、前記副映像パケットはパケットヘッダを含み、前記パケットヘッダは表示時刻を表現したタイムスタンプを含み更に前記副映像データーユニットは表示制御シーケンスを含む表示制御シーケンステーブルとランレングス圧縮された副映像の画素データーと副映像ユニットヘッダとを含み、前記副映像ユニットヘッダは前記表示制御シーケンステーブルの開始アドレス情報を含み、前記ランレングス圧縮は前記副映像の同一画素データーの連続をデーター単位に変換して行われ、前記表示制御シーケンスは１以上の副映像表示制御コマンドと次の表示制御シーケンスのアドレス情報と副映像の表示制御に関する開始時間を示す情報を含み、前記副映像の表示制御に関する開始時間を示す情報は前記タイムスタンプの相対時間で記録されているように構成し、前記副映像の画素データーをエンコード処理するものである。
【手続補正６】
【補正対象書類名】明細書
【補正対象項目名】００１０
【補正方法】変更
【補正の内容】
【００１０】
この発明の再生装置は、主映像情報とともに同時再生可能な副映像情報が副映像データーユニットを構成し、前記副映像データーユニットは一定のデーターサイズのパケットに分割され、前記副映像パケットはパケットヘッダを含み、前記パケットヘッダは表示時刻を表現したタイムスタンプを含み更に前記副映像データーユニットは表示制御シーケンスを含む表示制御シーケンステーブルとランレングス圧縮された副映像の画素データーと副映像ユニットヘッダとを含み、前記副映像ユニットヘッダは前記表示制御シーケンステーブルの開始アドレス情報を含み、前記ランレングス圧縮は前記副映像の同一画素データーの連続をデーター単位に変換して行われ、前記表示制御シーケンスは１以上の副映像表示制御コマンドと次の表示制御シーケンスのアドレス情報と副映像の表示制御に関する開始時間を示す情報を含み、前記副映像の表示制御に関する開始時間を示す情報は前記タイムスタンプの相対時間で記録されて構成するように記録された情報保持媒体から前記副映像情報を再生するものである。
【手続補正７】
【補正対象書類名】明細書
【補正対象項目名】００１１
【補正方法】変更
【補正の内容】
【００１１】
この発明の再生装置は、主映像情報とともに同時再生可能な副映像情報が副映像データーユニットを構成し、前記副映像データーユニットは一定のデーターサイズのパケットに分割され、前記副映像パケットはパケットヘッダを含み、前記パケットヘッダは表示時刻を表現したタイムスタンプを含み更に前記副映像データーユニットは表示制御シーケンスを含む表示制御シーケンステーブルとランレングス圧縮された副映像の画素データーと副映像ユニットヘッダとを含み、前記副映像ユニットヘッダは前記表示制御シーケンステーブルの開始アドレス情報を含み、前記ランレングス圧縮は前記副映像の同一画素データーの連続をデーター単位に変換して行われ、前記表示制御シーケンスは１以上の副映像表示制御コマンドと次の表示制御シーケンスのアドレス情報と副映像の表示制御に関する開始時間を示す情報を含み、前記副映像の表示制御に関する開始時間を示す情報は前記タイムスタンプの相対時間で記録されて記録されているように構成された前記副映像情報に対するデコーダーを具備するものである。
【手続補正８】
【補正対象書類名】明細書
【補正対象項目名】０２３２
【補正方法】変更
【補正の内容】
【０２３２】
【発明の効果】
以上詳述したように、この発明によれば、同じ副映像データを複数の異なる時刻で表示する場合でも全く同じ表示制御シーケンステーブルを用いることができ、表示制御シーケンステーブルをリロケータブルとすることができる。